(57)【要約】【課題】薄型の吸収性物品の輪郭に沿って配列する圧着部を形成し、この圧着部での光の反射状態を吸収シートの表面と異ならせることにより、暗所において吸収シートの輪郭を目視で識別しやすくする。【解決手段】薄型の吸収シート１の側縁部１ａの内側において第１の列Ｌ１に沿って圧着部２１と２３を間隔を開けて形成する。さらに前記側縁部１ａに沿って、圧着部で囲まれた非圧着の区画領域２４を配列する。圧着部と非圧着部および区画領域で光の反射状態を異ならせることにより、暗所においても前記側縁部１ａの輪郭を目視で識別しやすくなる。【選択図】　　図４
2004008592.tif 000002
【特許請求の範囲】
【請求項１】
複数枚のシートが重ねられ、縦方向に延びる左右両側縁部、および前縁部および後縁部を有して縦長に形成されており、前記両側縁部の内側に、シートどうしを固定する側方固定部が設けられている吸収性物品において、
前記側方固定部では、複数の圧着部が、前記両側縁部よりも内側で且つ前記両側縁部に沿って間隔を開けて配置されて第１の列を成しており、
前記第１の列に位置する圧着部は、表面側から裏面へ向けて凹状に形成されており、少なくとも最表面に位置するシートが熱可塑性繊維を有して、前記圧着部の底面で前記熱可塑性繊維が溶融し、前記圧着部の底面と非圧着領域の前記シートの表面とで光の反射状態が相違していることを特徴とする吸収性物品。
【請求項２】
前記第１の列は、前記底面の形状が円、長円、あるいは多角形の圧着部を有しており、前記第１の列の少なくとも一部で、前記圧着部が一定のピッチで配列している請求項１記載の吸収性物品。
【請求項３】
前記側方固定部には、前記第１の列を成す圧着部よりも内側に、第２の列を成す圧着部が設けられており、前記第２の列に位置する圧着部も、表面側から裏面へ向けて凹状に形成されて、前記圧着部の底面で前記熱可塑性繊維が溶融して、前記圧着部の底面と非圧着領域の前記シートの表面とで光の反射状態が相違しており、
前記第１の列を成す前記圧着部と、前記第２の列を成す前記圧着部との間に、非圧着領域が設けられている請求項１または２記載の吸収性物品。
【請求項４】
複数枚のシートが重ねられ、縦方向に延びる左右両側縁部、および前縁部および後縁部を有して縦長に形成されており、前記両側縁部の内側に、シートどうしを固定する側方固定部が設けられている吸収性物品において、
前記側方固定部では、複数の圧着部が間隔を開けて配置された圧着部列と、非圧着領域が前記圧着部列で囲まれて形成された所定面積の区画領域とを有し、複数の前記区画領域が、前記両側縁部よりも内側で且つ前記両側縁部に沿って並んでおり、
前記圧着列を形成している圧着部は、表面側から裏面へ向けて凹状に形成されており、少なくとも最表面に位置するシートが熱可塑性繊維を有して、前記圧着部の底面で前記熱可塑性繊維が溶融し、前記圧着部の底面と非圧着領域の前記シートの表面とで光の反射状態が相違していることを特徴とする吸収性物品。
【請求項５】
前記両側縁部に沿って並ぶ前記区画領域は、同じ形状で且つ同じ面積である請求項４記載の吸収性物品。
【請求項６】
吸収性物品を縦方向に二分する横方向中心線の左右両側に前記区画領域の中心が位置しており、両側部では、それぞれ前記区画領域が奇数個設けられている請求項４または５記載の吸収性物品。
【請求項７】
前記圧着部列は、前記底面の形状が円、長円、あるいは多角形の圧着部を有しており、前記圧着部列の少なくとも一部で、前記圧着部が一定のピッチで配列している請求項４ないし６のいずれかに記載の吸収性物品。
【請求項８】
前記両側縁部は、凹曲線形状である請求項１ないし７のいずれかに記載の吸収性物品。
【請求項９】
前記前縁部と前記後縁部は凸曲線形状であり、前記前縁部の内側と前記後縁部の内側に、シートどうしを固定する前方固定部および後方固定部が設けられており、前記前方固定部と前記後方固定部では、前記前縁部および後縁部に倣う列に沿って圧着部が間隔を開けて配列しており、
この圧着部も、表面側から裏面へ向けて凹状に形成されて、前記圧着部の底面で前記熱可塑性繊維が溶融して、前記圧着部の底面と非圧着領域の前記シートの表面とで光の反射状態が相違している請求項１ないし８のいずれかに記載の吸収性物品。
【請求項１０】
前記両側方固定部の各圧着部に掛からない領域で且つ吸収性物品を横方向に二分する縦方向中心線を中心とした所定の横幅寸法の中央帯領域では、最表面に現れているシートに、縦方向に延びる畝と溝が横方向に交互に配列するように形成され、または縦方向に列を成す液透過孔が横方向に間隔を開けて複数列形成されている請求項１ないし９のいずれかに記載の吸収性物品。
【請求項１１】
前記圧着部の底面での吸収性物品の厚みと、非圧着領域での吸収性物品の厚みの差が０．２ｍｍ以上である請求項１ないし１０のいずれかに記載の吸収性物品。
【請求項１２】
少なくとも最表面に現れているシートは、白以外の色の着色シートであり、前記着色シートの下に白色系のシートが位置し、前記着色シートと前記白色系のシートとが、前記圧着部で圧着されている請求項１ないし１１のいずれかに記載の吸収性物品。
【発明の詳細な説明】
【０００１】
【発明の属する技術分野】
本発明は、パンティライナーと称されるおりものや経血を吸収できる吸収シート、失禁患者用の尿吸収シートなどとして使用される吸収性物品に係り、特に下着に接着して使用するのに適した吸収性物品に関する。
【０００２】
【従来の技術およびその課題】
薄型の吸収性物品としてパンティライナーと称されるおりものや経血を吸収できる吸収シートがある。この吸収シートは、下着のクロッチ部の内側に感圧接着層を介して接着固定して着用する。
【０００３】
この従来の吸収シートは、液不透過性の裏面シートと、スパンレース不織布などで形成された表面シートとの間に、積層ティッシュペーパ、エアレイドパルプなどの薄型の吸収層が介在している構造が一般的である。
【０００４】
この種の吸収シートは、薄型で、着用者が下着と同等の軟質感を感じることができるものが好ましく、また着替え中などに、下着に装着されていることを目立たちにくくして、着用者が気にならない配慮がなされていることが好まれている。
【０００５】
従来のこの種の吸収シートは白色のものが一般的であるため、白色の下着に固定して使用する場合には比較的目立たなくて済む。しかし、最近の下着は、白色のみならず明色系から暗色系にかけて種々の色のものが使用されており、これらの色の下着に白色の吸収シートを取付けると、吸収シートと下着の色とのギャップが大きくなる。したがって、それぞれの下着の色と同系色の吸収シートを準備することが望まれている。また、暗色系の吸収シートは、同色系の下着に固定すると目立たなくなるのみならず、おりものや経血を吸収したときに、その吸収物の色を目立たなくする点においても好まれている。
【０００６】
ただし、前記下着と同色系の吸収シートを用いていると、逆に取り外しや取付けの際に、下着との対比で目立たなくなる問題が生じる。特に、レストランなどのトイレットのように照明が暗い場所では、吸収シートを交換するときに、下着のどの位置に吸収シートが取付けられているか瞬間的に区別することが難しかったり、新たな吸収シートを下着に固定するときに、吸収シートの中心を、下着のクロッチ部の中心に位置合わせするのが難しく、吸収シートが位置ずれして取付けられるおそれがある。したがって、吸収シートを、下着から取り外すことや、下着のクロッチ部に正確に位置合わせして取り付けることを、すばやく行えないことがある。
【０００７】
また、例えば特公平５−２４７８３号公報には、比較的明色の熱可塑性樹脂シートからなる外側カバーと、比較的暗い色の熱可塑性樹脂からなる内側層とを有し、前記外側カバーに形成された押し模様の部分が前記内側層に接触することにより、前記押し模様の部分が他の部分よりも暗く見えるようにしたものが開示されている。
【０００８】
しかし、この従来例では、吸収性物品の表面において模様が明瞭になっていることから、吸収性物品そのものが目立ちやすくなる。また、下着と同色系で全体が目立たず、しかも吸収性物品の輪郭を目視しやすくしたり、吸収性物品の中心を区別しやすくするという観点は開示されていない。
【０００９】
本発明は、上記従来の課題を解決するものであり、輪郭を視覚で識別しやすくし、しかもそれ自体が目立ちすぎることのない圧着部を備えて、下着と同色のものとして使用するのに適した吸収性物品を提供することを目的としている。
【００１０】
【課題を解決するための手段】
第１の本発明は、複数枚のシートが重ねられ、縦方向に延びる左右両側縁部、および前縁部および後縁部を有して縦長に形成されており、前記両側縁部の内側に、シートどうしを固定する側方固定部が設けられている吸収性物品において、前記側方固定部では、複数の圧着部が、前記両側縁部よりも内側で且つ前記両側縁部に沿って間隔を開けて配置されて第１の列を成しており、
前記第１の列に位置する圧着部は、表面側から裏面へ向けて凹状に形成されており、少なくとも最表面に位置するシートが熱可塑性繊維を有して、前記圧着部の底面で前記熱可塑性繊維が溶融し、前記圧着部の底面と非圧着領域の前記シートの表面とで光の反射状態が相違していることを特徴とするものである。
【００１１】
前記吸収性物品では、左右両側縁部の内側において、前記側縁部に沿って圧着部が配列しており、この圧着部の底面と非圧着領域の表面とで、光の反射効果が相違することにより、例えば暗いトイレットなどで、吸収性物品の輪郭を目視で識別しやすくなる。よって、下着から取り外す際や、下着に取付けるのをすばやく且つ容易にでき、また吸収性物品の中心を下着の中心に合わせるようにして取付けやすい。
【００１２】
例えば、前記第１の列は、前記底面の形状が円、長円、あるいは多角形の圧着部を有しており、前記第１の列の少なくとも一部で、前記圧着部が一定のピッチで配列しているものが好ましい。
【００１３】
このように構成すると、光の反射効果の相違する部分が、左右両側縁部に沿って細かなドット状に配列することになり、吸収性物品の輪郭を認識しやすくなる。また、細かなドット状の圧着部を間隔を開けて配列させたものは、前記両側縁部に添って線状または帯状に延びる圧着領域を形成したものに比べて風合いや柔らかさが良好なものとなる。
【００１４】
さらに、前記側方固定部には、前記第１の列を成す圧着部よりも内側に、第２の列を成す圧着部が設けられており、前記第２の列に位置する圧着部も、表面側から裏面へ向けて凹状に形成されて、前記圧着部の底面で前記熱可塑性繊維が溶融して、前記圧着部の底面と非圧着領域の前記シートの表面とで光の反射状態が相違しており、
前記第１の列を成す前記圧着部と、前記第２の列を成す前記圧着部との間に、非圧着領域が設けられているものがさらに好ましい。
【００１５】
このように、第１の列の内側に非圧着領域を挟んで第２の列の圧着部が存在していると、２つの列の圧着部と非圧着領域との光反射のコントラストが明確になり、さらに輪郭を目立ちやすくできる。
【００１６】
第２の本発明は、複数枚のシートが重ねられ、縦方向に延びる左右両側縁部、および前縁部および後縁部を有して縦長に形成されており、前記両側縁部の内側に、シートどうしを固定する側方固定部が設けられている吸収性物品において、前記側方固定部では、複数の圧着部が間隔を開けて配置された圧着部列と、非圧着領域が前記圧着部列で囲まれて形成された所定面積の区画領域とを有し、複数の前記区画領域が、前記両側縁部よりも内側で且つ前記両側縁部に沿って並んでおり、
前記圧着列を形成している圧着部は、表面側から裏面へ向けて凹状に形成されており、少なくとも最表面に位置するシートが熱可塑性繊維を有して、前記圧着部の底面で前記熱可塑性繊維が溶融し、前記圧着部の底面と非圧着領域の前記シートの表面とで光の反射状態が相違していることを特徴とするものである。
【００１７】
この吸収性物品では、間隔を開けて形成された圧着部に囲まれた非圧着の区画領域が設けられているため、吸収性物品の両側縁部の内側において、圧着部と区画領域とで、光の反射効果の相違するコントラストを強調でき、非圧着の前記区画領域が浮き上がって見えるようになって、吸収性物品の輪郭を識別しやすくなる。
【００１８】
また、前記両側縁部に沿って並ぶ前記区画領域は、同じ形状で且つ同じ面積であると、この区画領域の並び状態を識別することで、吸収性物品の両側縁部の位置を区別しやすくなる。
【００１９】
例えば、吸収性物品を縦方向に二分する横方向中心線の左右両側に前記区画領域の中心が位置しており、両側部では、それぞれ前記区画領域が奇数個設けられているものとして構成できる。
【００２０】
このように構成すると、吸収性物品の縦方向での中心を直ぐに識別しやすくなり、吸収性物品の取付け位置がずれるのを防止しやすい。
【００２１】
この場合も、前記圧着部列は、前記底面の形状が円、長円、あるいは多角形の圧着部を有しており、前記圧着部列の少なくとも一部で、前記圧着部が一定のピッチで配列しているものが好ましい。
【００２２】
前記において、例えば、前記両側縁部は、凹曲線形状である。
また、前記前縁部と前記後縁部は凸曲線形状であり、前記前縁部の内側と前記後縁部の内側に、シートどうしを固定する前方固定部および後方固定部が設けられており、前記前方固定部と前記後方固定部では、前記前縁部および後縁部に倣う列に沿って圧着部が間隔を開けて配列しており、
この圧着部も、表面側から裏面へ向けて凹状に形成されて、前記圧着部の底面で前記熱可塑性繊維が溶融して、前記圧着部の底面と非圧着領域の前記シートの表面とで光の反射状態が相違しているものが好ましい。
【００２３】
このように構成すると、吸収性物品の前後端部の位置も識別しやすくなる。
また、前記非圧着領域では、最表面に現れているシートに、縦方向に延びる畝と溝が横方向に交互に配列するように形成され、または縦方向に列を成す液透過孔が横方向に間隔を開けて複数列形成されていることが好ましい。
【００２４】
前記それぞれの構成に加えて、前記両側方固定部の各圧着部に掛からない領域で且つ吸収性物品を横方向に二分する縦方向中心線を中心とした所定の横幅寸法の中央帯領域に、縦方向に延びる畝と溝を有する構造、または縦方向に列を成す液透過孔を形成しておくと、畝溝部や液透過孔が形成されている中央帯領域の表面とその両側に位置する各圧着部の底面とで、光の反射効果をさらに異ならせることができ、圧着部と中央帯領域とのコントラストをさらに強調できる。
【００２５】
したがって、中央帯領域をすぐに認識できて吸収性物品の縦方向中心線の位置を予測しやすくなる。また、中央帯領域では、畝溝部や液透過孔が縦方向に延びる列を形成していることを目視で理解することにより、吸収性物品の縦方向の向きをすばやく且つ容易に認識でき、下着に対して吸収性物品を正しい向きに取付けやすくなる。
【００２６】
また、前記圧着部の底面での吸収性物品の厚みと、非圧着領域での吸収性物品の厚みの差が０．２ｍｍ以上であることが好ましい。
【００２７】
前記本願発明は、少なくとも最表面に現れているシートは、白以外の色の着色シートであり、前記着色シートの下に白色系のシートが位置し、前記着色シートと前記白色系のシートとが、前記圧着部で圧着されているものに最適である。
【００２８】
このように本発明は、表面が下着と同色系であり、しかも圧着部は前記色と異なる色調になるのではなく、光の反射状態を相違させてコントラストを強調するものである。
【００２９】
【発明の実施の形態】
図１は本発明の１実施の形態として薄型の吸収性物品であるパンティーライナーと称されるおりものや経血を吸収する吸収シート１を表面側を手前に向けて示す平面図、図２は図１に示す吸収シートを横方向中心線Ｏｘ−Ｏｘで切断してＩＩ矢視方向から見た断面図のうちの右半分を示す半断面図、図３は図２に示す半断面図のうちの圧着部の構造を示す拡大断面図、図４は圧着部の配列パターンを示す図１の部分拡大図である。
【００３０】
以下の実施の形態で示す吸収シート１は、女性が下着のクロッチ部の内面に固着させて下着と一体化したものとして使用する薄型の吸収性物品であり、女性が排泄するおりものや生理開始時の経血などを吸収することを目的としているものである。また本発明の薄型の吸収性物品は、女性が下着のクロッチ部の内面に固着させて使用し尿失禁時の微少な尿を吸収するものとしても使用できる。
【００３１】
図１に示されるこの吸収シート１の平面形状は縦長形状であり、縦方向に延びる右側縁部１ａと左側縁部１ｂと、縦方向の両側に向けられる端部である前縁部１ｃおよび後縁部１ｄを有している。右側縁部１ａと左側縁部１ｂは、凹曲線形状であり、吸収シート１を下着のクロッチ部の内側に接着したときに、前記右側縁部１ａと左側縁部１ｂとが、下着の脚開口部の縁部に沿うようになる。また、前縁部１ｃと後縁部１ｄは、凸曲線形状である。
【００３２】
前記吸収シート１の平面形状は、縦方向に延びる縦方向中心線Ｏｙ−Ｏｙを介して左右対称形状であり、また吸収シート１を縦方向に二分する横方向中心線Ｏｘ−Ｏｘを介して前後に対称形状である。なお、この吸収シートとして横方向中心線Ｏｘ−Ｏｘよりも前方部分と後方部分とが非対称の形状のものも有り得るが、このような非対称形状の吸収シートであっても、以下の構造を適用できることはもちろんである。
【００３３】
図２に示すように、前記吸収シート１の本体部２は、裏面シート３、前記裏面シート３の上に設置された中間シート４、および前記中間シート４の上に設置された表面シート５との積層体により構成されている。
【００３４】
図２に示すように、前記本体部２の裏面すなわち前記裏面シート３の外表面には、下着に固着するための感圧接着剤層６が設けられている。この感圧接着剤層６は、幅方向（Ｘ方向）へ間隔を開け、縦方向（Ｙ方向）へ直線的に帯状に延びるように平行に形成されている。そして、使用前は、前記感圧接着剤層６の外面が離型シート７で覆われている。
【００３５】
前記裏面シート３、中間シート４、表面シート５および離型シート７は全て同じ平面形状である。製造過程では、裏面シート３、中間シート４、表面シート５および離型シート７が重ねられた状態でトリミングされ、図１に示すように、右側縁部１ａ、左側縁部１ｂ、前縁部１ｃおよび後縁部１ｄを有する形状となる。
【００３６】
この実施の形態では、縦方向の寸法Ｌａの範囲で前記右側縁部１ａと左側縁部１ｂが凹曲線形状であり、前記Ｌａの範囲では、前記右側縁部１ａの内側に右側方固定部１０が形成されている。この右側方固定部１０では、前記右側縁部１ａの凹曲線に倣うようにして圧着部が配列している。同様に、前記Ｌａの範囲で、前記左側縁部１ｂの内側に、前記左側縁部１ｂの凹曲線に倣うようにして圧着部が配列した左側方固定部１１が形成されている。
【００３７】
前記前縁部１ｃの内側には、前記前縁部１ｃの凸曲線形状に倣うようにして圧着部が配列した前方固定部１２が設けられ、後縁部１ｄの内側には、前記後縁部１ｄの凸曲線形状に倣うようにして圧着部が配列した後方固定部１３が設けられている。
【００３８】
前記本体部２を形成している裏面シート３、中間シート４および表面シート５は、液の透過および吸収を妨げないように塗布されたホットメルト型接着剤によって互いに接着固定されているとともに、前記右側方固定部１０、左側方固定部１１、前方固定部１２および後方固定部１３において、シートどうしが加熱され圧着されて固定されている。
【００３９】
好ましい実施の形態では、少なくとも表面シート５が白色以外の色に着色されており、好ましくは裏面シート３も前記表面シート５と同色に着色されている。また、中間シート４は前記着色がなされておらず白色である。
【００４０】
前記裏面シート３は、液不透過性で、例えば坪量が２１〜２５ｇ／ｍ２の範囲の薄いポリエチレンフィルムである。具体的には、無機系顔料の着色剤を１〜１５質量％と、ポリエチレン樹脂とを混合して溶融押し出ししたフィルムであり、さらに通気孔となる微細孔が多数形成されて通気性を有するものが好ましい。あるいは、前記裏面シート３が、無機系顔料などで着色した繊維で形成された疎水性のスパンボンド不織布またはポイントボンド不織布、あるいはこれら不織布に着色された通気性の樹脂フィルムがラミネートされたものであってもよい。
【００４１】
中間シート４は、液吸収機能を有する例えばスパンレース不織布であり、親水性繊維として繊度が１．３８ｄｔｅｘで繊維長が４４ｍｍのレーヨン繊維を５５質量％、繊度が１．４３ｄｔｅｘで繊維長が３８ｍｍのポリエステル繊維を３０質量％、繊度が１．６５ｄｔｅｘで繊維長が４５ｍｍのポリプロピレン繊維を１５質量％含むものである。また目付けは３０〜５０ｇ／ｍ２である。
【００４２】
前記表面シート５は、第１表面シート５ａと第２表面シート２の２枚の透液性の不織布で形成されている。
【００４３】
第１の表面シート５ａと第２の表面シート５ｂは、共にスパンボンド不織布であり、第１の表面シート５ａは目付けが２０〜２５ｇ／ｍ２の範囲で、第２の表面シート５ｂは、目付けが２０〜３０ｇ／ｍ２の範囲で調整される。またこのスパンボンド不織布に多数の液透過孔を形成したものであってもよい。
【００４４】
第１の表面シート５ａと第２の表面シート５ｂを形成する前記スパンボンド不織布は、繊度が１．９８〜２．６４ｄｔｅｘの着色されたポリプロプレン樹脂繊維で形成されている。例えば、着色剤としては、例えばカーボンブラック、銅フタルシアニンブルー、酸化鉄などの無機系顔料が使用され、これらが１〜１０質量％の範囲で練り込まれたポリプロピレン樹脂を溶融して前記繊維が形成される。無機系顔料は耐熱性があるため、ポリプロピレン樹脂を溶融して繊維を形成するのに適している。カーボンブラックを含む繊維は黒色系、銅フタルシアニンブルーを含む繊維は青色系、酸化鉄を含む繊維は赤色系である。また他の顔料を含ませることにより第１の表面シート５ａおよび第２の表面シート５ｂを種々の色に形成できる。
【００４５】
なお、前記第１の表面シート５ａと第２の表面シート５ｂが白色であってもよい。この場合、前記ポリプロピレン繊維は、酸化チタン、硫酸バリウム、などの白色化のための無機フィラーを含むものを使用できる。
【００４６】
図１に示すように、前記第１の表面シート５ａでは、両側方固定部１０，１１のそれぞれの圧着部２１，２２に掛からない領域で且つ縦方向中心線Ｏｙ−Ｏｙを中心とする所定幅Ｗａで縦方向に延びる中央帯領域が、畝溝成形領域１５となっている。図２に示すように、前記畝溝成形領域１５では、縦方向の全長に延びる畝部１５ａと同じく縦方向の全長に延びる溝部１５ｂとが、横方向に一定のピッチで交互に繰り返すように形成されている。
【００４７】
前記中央帯領域の幅寸法Ｗａは、両側方固定部１０，１１のそれぞれの圧着部２１，２２に掛からない領域であれば、どのような幅寸法であってもよい。また図１では、前記中央帯領域の縦方向の全長にわたって畝部１５ａと溝部１５ｂが形成されているが、前記中央帯領域において、畝部１５ａと溝部１５ｂが、前方固定部１２と後方固定部１３のそれぞれの圧着部の内側まで形成されていてもよい。
【００４８】
前記畝部１５ａの高さ、すなわち畝溝成形領域１５での第１の表面シート５ａの全体の高さ寸法から、第１の表面シート５ａの厚みを引いた寸法は、０．３〜２ｍｍの範囲であり、畝部１５ａのピッチと溝部１５ｂのピッチは、１〜３ｍｍの範囲である。また、畝溝成形領域１５の幅寸法Ｗａは、１５〜２５ｍｍである。
【００４９】
第１の表面シート５ａにおいて、畝溝成形領域１５が、中央部にて所定幅Ｗａの範囲で且つ縦方向の全長に延びていることにより、使用時に吸収シート１の中央領域を目視で識別しやすくなる。また吸収シート１の表面の中央帯領域に畝溝成形領域１５が設けられていると、女性の性器へ接触させたときの刺激を低減でき、着用感に優れたものとなる。
【００５０】
第２の表面シート５ｂは、前記第１の表面シート５ａと同じもので同じ色に着色されたものが使用される。そして、第２の表面シート５ｂはその全面が畝溝成形領域１６となっている。図２および図３に示すように、前記第２の表面シート５ｂの畝溝成形領域１６においても、縦方向に延びる畝部１６ａと縦方向に延びる溝部１６ｂとが、横方向に一定のピッチで交互に繰り返すように形成されている。前記第２の表面シート５ｂの畝溝成形領域１６での畝部１６ａの高さ寸法の好ましい範囲、および畝部１６ａのピッチと溝部１６ｂのピッチの好ましい範囲は、前記第１の表面シート５ａの畝溝成形領域１５ａと同じである。
【００５１】
このように第２の表面シート５ｂの全面に畝溝成形領域１６を設けることにより、本体部２全体を薄型にし、中間シート４を密度の高い構造にした場合でも、表面側でのクッション性を高めることができる。
【００５２】
前記畝溝成形領域１５と１６の成形は、畝溝形状に応じた凹凸が形成された一対のロールを噛み合わせ、１３０℃程度に加熱したロール間に前記スパンボンド不織布を供給する。この加熱および挟圧により、不織布に畝部と溝部とが賦形される。
【００５３】
前述のように、第１の表面シート５ａにおいて、幅寸法Ｗａの中央帯領域に縦方向に延びる畝部１５ａと溝部１５ｂを形成することにより、吸収シート１の縦方向中心線Ｏｙ−Ｏｙの位置を予測しやすくなる。また吸収シート１の縦方向の向きをすばやく且つ容易に認識できるようになる。そこで、前記畝部１５ａと溝部１５ｂを形成することに代えて、あるいは前記畝部１５ａと溝部１５ｂの形成に加えて、第１の表面シート５ａの中央帯領域に、多数の液透過孔を縦方向に向けて列を成すように形成し、且つこの列を横方向に一定のピッチで形成してもよい。このように縦方向に列をなす液透過孔を形成すると、液透過孔の部分とそれ以外の部分とで光の反射状態が相違するようになり、その結果、中央帯領域が目立つようになって縦方向中心線Ｏｙ−Ｏｙの位置を予測しやすくなるとともに、吸収シート１の縦方向の向きをすばやく且つ容易に識別できるようになる。
【００５４】
図４に拡大して示すように、前記右側方固定部１０は、３種類の大きさの圧着部を配列させることにより形成されている。この圧着部は、平面形状が小径の円形の第１の圧着部２１、直径が前記第１の圧着部２１よりもやや大きい円形の第２の圧着部２２、および平面が月形状の第３の圧着部２３とを有している。
【００５５】
この第１の圧着部２１、第２の圧着部２２および第３の圧着部２３は熱エンボス加工により形成される。すなわち、裏面シート３の外面に、表面が平滑なロールが当てられ、第１の表面シート５ａ側から、前記各圧着部のパターンに応じた突起を有するエンボスロールが当てられ、本体部２が１２０℃以上に加熱された前記ロール間に挟圧されることにより前記熱エンボス加工が行われる。
【００５６】
図２と図３には、前記第１の圧着部２１の断面図が示されている。この断面図に示されるように、第１の圧着部２１の底面２１ａは、前記熱エンボス加工により平坦化されている。また、裏面シート３、中間シート４および表面シート５のそれぞれが熱可塑性材料を含んでいるため、前記底面２１ａでは前記熱可塑性材料が溶融し、繊維の凹凸が現れない程度に平滑化され、底面２１ａの表面はほぼフィルム面と同等となっている。また、圧着部の底面２１ａでの本体部２の厚さ寸法と、非圧着領域での本体部２の厚さ寸法との差は０．２ｍｍ以上で２ｍｍ以下が好ましい。
【００５７】
これは第２の圧着部２２と第３の圧着部２３においても同じであり、第２の圧着部２２の底面２２ａも、円形で且つ表面が平滑化しており、第３の圧着部２３の底面２３ａも、月形状で且つ表面が平滑なものとなっている。
【００５８】
図４に示すように、前記右側方固定部１０では、右側縁部１ａの凹形状に倣う第１の列Ｌ１に沿って、第１の圧着部２１と第３の圧着部２３が規則的に配列している。前記第１の列Ｌ１は、前記右側縁部１ａと相似の凹曲線形状であり、その曲率半径は１２０〜３００ｍｍである。また、図３に示す右側縁部１ａから第１の圧着部２１の底面２１ａの縁までの幅寸法、すなわち右側縁部１ａから右側方固定部１０までの間の非圧着領域の幅寸法Ｗｂは１〜８ｍｍ程度である。
【００５９】
前記第１の列Ｌ１に沿って第１の圧着部２１と第３の圧着部２３が規則的に配列されている。この実施の形態では、３個の第１の圧着部２１と１個の第３の圧着部２３が、第１の列Ｌ１に沿って繰り返して配列するパターンとなっている。
【００６０】
また、右側方固定部１０では、前記第１の列Ｌ１の内側に位置する第２の列Ｌ２に沿って、前記第１の圧着部２１と第２の圧着部２２が規則的に配列している。前記第２の列Ｌ２では、５個の第１の圧着部２１と１個の第２の圧着部２２とが規則的に繰り返して配列している。第２の圧着部２２は月形状の第３の圧着部２３に隣接して形成されている。そして第２の列Ｌ２では、第２の圧着部２２と第２の圧着部２２との間で縦方向中心線Ｏｙ−Ｏｙに向く突曲線Ｒ１に沿って前記第１の圧着部２１が間隔を開けて配列している。
【００６１】
その結果、前記第１の列Ｌ１に沿って配列している前記第１の圧着部２１および第３の圧着部２３と、前記突曲線Ｒ１に沿って配列している第１の圧着部２１および第２の圧着部２２とで囲まれた部分に、非圧着領域である区画領域２４が形成されている。
【００６２】
前記第２の列Ｌ２では、前記突曲線Ｒ１が繰り返して形成されているため、右側方固定部１０では、同じ面積の前記区画領域２４が、前記側縁部１ａに沿って繰り返して設けられている。
【００６３】
第１の圧着部２１、第２の圧着部２２および第３の圧着部２３のそれぞれの底部での横方向の幅寸法Ｗｃは、前記畝部１５ａのピッチと同じかそれ以下であり、Ｗｃは０．５〜２．５ｍｍの範囲であることが好ましい。圧着部の横幅寸法が前記範囲であり、且つ畝部１５ａのピッチ以下であると、圧着部の存在が肌に感じにくくなる。本発明では、第１の表面シート５ａの全面に畝部１５ａと溝部１５ｂが形成されるのを妨げないが、このような場合に圧着部の横幅寸法が前記範囲内であれば、圧着部の存在によって畝部１５ａが潰される確率が低くなり、圧着部の存在を肌で感じにくくなる。
【００６４】
また第１の列Ｌ１および第２の列Ｌ２に沿う、隣接する圧着部間に位置する非圧着部の寸法δ、すなわち前記列に沿う圧着部間の間隔δは１〜３ｍｍ程度が好ましい。また、前記第１の列Ｌ１と第２の列Ｌ２の横方向の距離Ｗｄは、最大の場所で３〜８ｍｍが好ましく、前記区画領域２４の面積は１５〜５０ｍｍ２の範囲が好ましい。この範囲であれば、第１の列Ｌ１との第２の列Ｌ２との間に位置する区画領域２４を、周囲に位置する圧着部での光の反射効果で目立たせることができる。
【００６５】
なお、左側方固定部１１での各圧着部の配列状態は、右側方固定部１０での前記各圧着部の配列状態と左右対称である。図１に示すように、右側方固定部１０での第２の列Ｌ２に形成された第１の圧着部２１と、左側方固定部１１での第２の列Ｌ２に形成された第１の圧着部２１との間の間隔Ｗｅは、横方向中心線Ｏｘ−Ｏｘの位置で最も狭くなっており、この最も狭い間隔Ｗｅは２０〜３５ｍｍである。前記範囲未満であると、右側部固定部１０と左側部固定部１１のそれぞれの圧着部が陰唇などに当たりやすくなり着用感を損なうおそれがある。前記範囲を超えると、第１の列Ｌ１の圧着部と第２の列Ｌ２の圧着部との間隔が狭くなり、区画領域２４の面積が狭くなりすぎる。
【００６６】
図１に示すように、前方固定部１２では、吸収シート１の前縁部１ｃの突曲線に倣う列に沿って前記第１の圧着部２１と第２の圧着部２２が規則的に並んでいる。後方固定部１３は、前記前方固定部１２と対称であり、同様に第１の圧着部２１と第２の圧着部２２とが規則的に配列して形成されている。前方固定部１２と後方固定部１３に設けられた各圧着部の底面での好ましい幅寸法Ｗｃおよび、配列方向での好ましい間隔寸法δなどは、前記右側方固定部１０および左側側方固定部１１と同じである。
【００６７】
この吸収シート１を使用するときには、裏面側の離型シート７を剥がし、感圧接着剤層６を介して下着のクロッチ部の内側に接着固定して着用する。
【００６８】
前記吸収シート１は、表面シート５および裏面シート３が白色のもの、または前記表面シート５と裏面シート３が各種色に着色されたものとして構成されている。したがって、着用しようとする下着の色と同色系のものを選択して使用できる。
【００６９】
この吸収シート１は、左右両側縁部１ａ，１ｂの内側に倣う形状の第１の列Ｌ１と第２の列Ｌ２に沿って圧着部２１，２２，２３が配列しており、各圧着部２１，２２，２３の底面２１ａ，２２ａ，２３ａでは、表面が平滑でしかも熱可塑性材料が溶融されてフィルム面のような状態となっている。よって、各圧着部２１，２２，２３の底面２１ａ，２２ａ，２３ａと、それ以外の非圧着領域とで光の反射効果が相違し、圧着部２１，２２，２３が非圧着領域よりも目立つようになる。この圧着部２１，２２，２３が目立つことにより、表面から見たときに、両側縁部１ａ，１ｂの近辺、および前縁部１ｃと後縁部１ｄの近辺を目視で確認しやすくなっている。
【００７０】
よって、例えばレストランのトイレットなどのように比較的照明の暗いトイレット内においても、前記圧着部２１，２２，２３の光の反射状態が非圧着領域と異なるように見えるため、これら圧着部の位置を目安にすることにより、吸収シート１の両側縁部１ａ，１ｂおよび前縁部１ｃと後縁部１ｄの輪郭を目視で理解しやすくなる。
【００７１】
そのため、下着に同色系の吸収シート１を固定して使用後に、トイレットで下着から外す際に、光の反射効果によってどの部分が前縁部１ｃか後縁部１ｄかを瞬間に理解しやすい。したがって、おりものなどが付着している中央領域に誤って指を触れることなく、確実に端部を掴んで下着のクロッチ部から剥がすことができる。
【００７２】
特に、この実施の形態では、第１の表面シート５ａの前記中央帯領域に畝溝成形領域１５が設けられているが、この部分では畝部１５ａと溝部１５ｂの存在により光が反射され、おりものなどの吸収部である前記畝溝成形領域１５と前記圧着部２１，２２，２３の形成領域とでの光の反射のコントラストにさらに顕著になる。よって、主たる吸収部となる中央帯領域と、周囲の輪郭の部分との違いを目視で区別しやすくなる。
【００７３】
また、前記のような暗いトイレットで新たな吸収シート１を下着のクロッチ部の内側に接着する際も、右側方固定部１０、左側方固定部１１での圧着部２１，２２，２３の光の反射効果により、両側縁部１ａ，１ｂの形状を認識しやすくなり、両側縁部１ａ，１ｂが下着の脚開口部の周囲に一致するように正確に位置合わせして装着できるようになる。しかも右側方固定部１０と左側方固定部１１では、圧着部で囲まれた所定面積の区画領域２４が、前記側縁部１ａ，１ｂに沿って並んでいる。右側方固定部１０と左側方固定部１１では、両側縁部１ａ，１ｂのすぐ内側に、光の反射効果の相違する圧着部と区画領域２４とが配置されているため、比較的暗い場所で前記両側縁部１ａ，１ｂの位置をさらに識別しやすくなる。よって前記両側縁部１ａ，１ｂを下着のクロッチ部の両縁部に揃えて接着しやすくなる。
【００７４】
また、図１に示す実施の形態では、両側縁部１ａ，１ｂのそれぞれに沿って同じ面積の区画領域２４が奇数個配置されており、真中に位置している区画領域の中心が、横方向中心線Ｏｘ−Ｏｘに一致している。よって、光の反射のコントラストで浮き上がって見える複数の区画領域２４のうちの中央に位置する区画領域２４を目安にすることにより、横方向中心線Ｏｘ−Ｏｘ付近を容易に見分けることができる。そのため、吸収シート１の横方向中心線Ｏｘ−Ｏｘの付近を下着のクロッチ部の中心に合わせやすくなる。
【００７５】
また、吸収シート１の表面には、所定幅Ｗａの中央帯領域に、縦方向に帯状に延びる畝溝成形領域１５が設けられている。前述のように、暗いトイレットなどの照明によって畝部１５ａと溝部１５ｂが縦方向に延びている状態を目視で瞬時に認識できるようになる。よって吸収シート１の中央帯領域をすばやく認識して縦方向中心線Ｏｙ−Ｏｙの位置を予測でき、吸収シート１を横方向へ位置ずれさせることなく適正な装着位置に合わせることができる。さらに畝部１５ａと溝部１５ｂが縦方向に延びているため、吸収シート１を下着のクロッチ部に対して正しい縦向きの姿勢で装着しやすくなる。
【００７６】
さらに図１に示す実施の形態では、前方固定部１２と後方固定部１３において、縦方向中心線Ｏｙ−Ｏｙ上に他と大きさの相違する大きめの第２の圧着部２２，２２が位置している。したがって、この第２の圧着部２２，２２を目印とすることによっても、吸収シート１の縦方向中心線Ｏｙ−Ｏｙを下着のクロッチ部の中心線に位置合わせしやすくなる。
【００７７】
このように、吸収シート１を下着の色に合わせた場合であっても、吸収シートの輪郭を視覚で理解しやすくなる。しかも各圧着部２１，２２，２３は吸収シート１の非圧着部と同色系であり、光の反射状態のみを異ならせたものであるため、前記圧着部２１，２２，２３が極端に目立つのを防止でき、よって着替え時などに下着に吸収シート１が装着されているのが目立つようなことはない。
【００７８】
前記吸収シート１は表面から見たときの色彩が比較的暗色のものに適している。比較的暗色のものは、おりものや経血を吸収したときに目立たない利点を有しており、また最近の下着も暗色のものが一般に着用されている。このような暗色の下着に暗色の吸収シート１を装着したときに、前記のような暗い照明のトイレットなどで吸収シートを識別しにくくなるが、前記のように圧着部２１，２２，２３を形成し、さらに区画領域２４を形成しておくことで、吸収シート１の輪郭を視覚で確認しやすくなる。
【００７９】
すなわち前記吸収シート１は、表面側から見たときの明度が、マンセル表色系の５．７〜９．３の範囲内であるものにおいて特に有効である。これらの明度となる表面シート５の色彩は、ピンク、または酸化チタンと銅フタロシアニンブルーを顔料として使用したブルー、または酸化チタン、黄色酸化鉄、赤色酸化鉄、カーボンブラックを顔料として用いたベージュ、あるいは、カーボンブラックを顔料として用いた黒色などである。
【００８０】
本明細書において「マンセル表色系」とは、アルパート・Ｈ・マンセルが創案した表色系をアメリカ光学会の測色委員会が修正して発表した表色系を意味する。
【００８１】
前記マンセル表色系は、色を色相、明度および彩度の３属性によって表わしたものである。前記「色相」とは、光のスペクトルに表れる色の属性を意味し、前記マンセル表色系では赤（Ｒ）、黄（Ｙ）、緑（Ｇ）、青（Ｂ）、紫（Ｐ）の５色相を基本とし、さらに中間に黄赤（ＹＲ）、黄緑（ＧＹ）、青緑（ＢＧ）、青紫（ＰＢ）、赤紫（ＲＰ）を配して１０色相で表わしている。また前記「明度」とは、物体表面の視感反射率（明るさに関する反射率）の大きさを示す視感覚の属性を意味し、マンセル表色系では、光を完全に吸収する黒を０、光を完全に反射する白を１０として等歩度に表わしている。また前記「彩度」とは、色の鮮やかさを示す度合いを意味し、マンセル表色系では無彩色を０とし、鮮やかさの増大にしたがって等歩度に数値が大きくなるように表わしている。
【００８２】
また、マンセル表色系の明度は、ミノルタ株式会社製の色彩色差計「ＣＲ−３００」により測定することができる。
【００８３】
以下、各圧着部の配列パターンの変形例を説明する。以下の変形例において、圧着部のパターン以外の構造は前記図１に示した吸収シート１と同じである。
【００８４】
図５に示す実施の形態の吸収シート１Ａは、右側方固定部１０と左側方固定部１１での圧着部の大きさおよび配列パターンが、図１に示す吸収シート１と同じである。ただし図５では、前方固定部１２と後方固定部１３の圧着部が設けられていない。なお、第１の表面シート５ａの畝溝成形領域１５は、図５において設けられていてもよいし、または設けられていなくてもよい。
【００８５】
図５に示す吸収シート１Ａでは、前方固定部１２と後方固定部１３での圧着部が無くても、両側方固定部１０と１１での圧着部のパターンを形成することにより、吸収シート１の両側縁部１ａ，１ｂを識別しやすく、また横方向中心線Ｏｘ−Ｏｘの位置も識別しやすいため、下着のクロッチ部の内側に設置するときに左右への位置ずれのみならず前後方向での位置ずれも防止しやすい。
【００８６】
図６に示す実施の形態の吸収シート１Ｂでは、右側方固定部１１０と左側方固定部１１１が、縦方向中心線Ｏｙ−Ｏｙを挟んで左右対称形状である。左側方固定部１１１のみを説明すると、この固定部１１１では、間欠線形状の圧着部２５が波状パターンで二列形成されており、２つの波状パターンが交叉して、前記間欠線形状の圧着部２５で囲まれた非圧着の区画領域２６が形成されている。複数の区画領域２６は左側縁部１ｂに倣うように前記左側縁部１ｂに沿って配列しており、個々の区画領域２６は面積が互いに同じとなっている。この面積の好ましい範囲は、図１に示した区画領域２４と同じである。
【００８７】
さらに左側縁部１ｂに近い位置では、前記間欠線形状の圧着部２５の交叉位置に２つのドット状の圧着部２７が形成されている。したがって、前記間欠線形状の圧着部２５と、前記ドット状の圧着部２７を結ぶ線Ｌ３を設定すると、このＬ３は、図４に示した第１の列Ｌ１と同様に、左側縁部１ｂに沿っている。よって前記線Ｌ３上に配列している圧着部２５および２７によって、図４に示す第１の列Ｌ３が形成されているのと同じ効果を奏することができる。この第１の列Ｌ３によって、両側縁部１ａ，１ｂをさらに識別しやすくなる。
【００８８】
また、図６に示す吸収シート１Ｂでは、前縁部１ｃの内側に前方固定部１１２が、後縁部１ｄの内側に後方固定部１１３が形成されている。この固定部１１２と１１３は、前縁部１ｃと後縁部１ｄに倣う曲線に沿って、前記第１の圧着部２１と第２の圧着部２２とが間隔を開けて形成されたものである。
【００８９】
図７に示す吸収シート１Ｃでは、右側方固定部２１０と左側方固定部２１１が、間欠線形状の波形状の圧着部２８を有しており、この圧着部２８で囲まれた部分が非圧着の区画領域２９となっている。右側方固定部２１０と左側方固定部２１１では、共に同じ面積の区画領域２９が奇数個ずつ両側縁部１ａ，１ｂに沿って配列している。
【００９０】
また、前方固定部１１２と後方固定部２１３では、前縁部１ｃと後縁部１ｄの内側において、前縁部１ｃと後縁部１ｄに沿って直線形状の圧着部３１，３１が形成されている。
【００９１】
また、吸収シートの各層の構造も以下のような変形が可能である。
例えば、前記表面シート５が１層のみでしかも液の吸収能力を有しているものであってもよい。ただし、圧着部の底面を熱エンボス加工で平滑化してフィルム面状とするためには、前記表面シート５が熱可塑性繊維を含んでいることが必要である。例えば前記表面シート５は、スパンレース不織布であり、親水性繊維として繊度が１．３８ｄｔｅｘで繊維長が４４ｍｍのレーヨン繊維を５５質量％、繊度が１．４３ｄｔｅｘで繊維長が３８ｍｍのポリエステル繊維を３０質量％、繊度が１．６５ｄｔｅｘで繊維長が４５ｍｍのポリプロピレン繊維を１５質量％含むもので、目付けが３８ｇ／ｍ２程度のものを使用できる。
【００９２】
この場合、中間シート４は、芯部がポリエステル、鞘部がポリエチレンの芯鞘型複合合成繊維を用いた、目付けが２５ｇ／ｍ２程度のエアースルー不織布で形成される。この中間シート４は、液を吸収するためのものとしてよりも、むしろクッション層として機能し、肌への当接圧力を弱くするように機能する。
【００９３】
また前記裏面シート３、中間シート４および表面シート５を、水解性の素材や、生分解性の素材で形成することもできる。
【００９４】
なお吸収シートの大きさは、縦方向中心線Ｏｙ−Ｏｙでの長さが６０〜１４０ｍｍ、横方向中心線Ｏｘ−Ｏｘでの幅寸法は、４５〜６５ｍｍ程度である。
【００９５】
【実施例】
まず表面シート５の好ましい目付けの範囲を示す実施例について説明する。
【００９６】
中間シートとして、繊度が１．３８ｄｔｅｘで繊維長が４４ｍｍのレーヨン繊維を５５質量％、繊度が１．４３ｄｔｅｘで繊維長が３８ｍｍのポリエステル繊維を３０質量％、繊度が１．６５ｄｔｅｘで繊維長が４５ｍｍのポリプロピレン繊維を１５質量％含むもので、目付けが４５ｇ／ｍ２の白色のスパンレース不織布を用いた。
【００９７】
その上に、表面シートとして、モカ色に着色したポリプロピレン樹脂繊維のスパンボンド不織布を重ね、図１に示すパターンの圧着部を形成した。圧着部の形成圧力は３４３Ｎ、エンボス温度は１２０℃、加圧時間を２秒とした。
【００９８】
そして、表面シートの目付けを表１に記載のように変えた、例えば「２０」は２０ｇ／ｍ２を意味し、「２０＋２０」は、２０ｇ／ｍ２のスパンボンド不織布を２枚重ねとしたことを意味する。それぞれについての評価を行った。
【００９９】
「隠蔽性」は、表面シートを通してその下の白色のスパンレース不織布が見えるか否かを評価したものであり、「風合い」は触感で評価し、「エンボス性」は圧着部がきれいに見えているか否かを目視で評価したものである。また「光沢」は、圧着部の底面と表面シートの表面との光反射効果のコントラストを目視で評価したものである。
【０１００】
最高の評価は「◎」、最低の評価は「××」である。
以下の表１の結果から、表面シートの目付けは合計で４５〜５５ｇ／ｍ２の範囲が最も好ましいことが解る。
【０１０１】
【表１】
2004008592.tif 000003
【０１０２】
前記スパンレース不織布の中間シートの上に、第１の表面シート５ａとして目付けが２５ｇ／ｍ２のスパンボンド不織布と第２の表面シート５ｂとして目付けが３０ｇ／ｍ２のスパンボンド不織布を重ね、図１に示すパターンの圧着部を形成した。このときの表面シート５ａ，５ｂの色と明度は表１の実施例と同じとした。
【０１０３】
このとき、表２に示すようにエンボス加工の加圧力を変化させ、それぞれの圧力ごとに、圧着部と非圧着部での厚さの差を測定した。そして圧着部の見え方を評価した。
【０１０４】
表２に示すように前記厚みの差が０．２ｍｍ以上であると、圧着部のコントラストが明確になることが解った。
【０１０５】
【表２】
2004008592.tif 000004
【０１０６】
【発明の効果】
以上のように本発明の吸収性物品では、輪郭に沿って間欠的な圧着部を形成したため、この圧着部の光のコントラストを利用して、前記輪郭を目視で区別しやすくなる。よって、下着と同じ色の吸収シートを着用したときで、比較的暗所においても吸収シートの輪郭を目視で容易に識別でき、使用後に下着から離脱させる際や、新たな吸収シートを下着に取り付ける際に、その操作を容易にできるようになる。
【図面の簡単な説明】
【図１】本発明の吸収性物品の第１の実施の形態である吸収シートを示す平面図、
【図２】図１のＩＩ−ＩＩ線の半断面図、
【図３】図２の断面図の一部拡大図、
【図４】側方固定部の圧着部の配列パターンを示す図１の部分平面図、
【図５】本発明の変形例を示す吸収シートの平面図、
【図６】本発明の変形例を示す吸収シートの平面図、
【図７】本発明の変形例を示す吸収シートの平面図、
【符号の説明】
１　吸収シート
１ａ　右側縁部
１ｂ　左側縁部
１ｃ　前縁部
１ｄ　後縁部
２　本体
３　裏面シート
４　中間シート
５　表面シート
５ａ　第１の表面シート
５ｂ　第２の表面シート
６　感圧接着剤層
７　離型シート
１０　右側方固定部
１１　左側方固定部
１２　前方固定部
１３　後方固定部
１５，１６　畝溝成形領域
１５ａ，１６ａ　畝部
１５ｂ，１６ｂ　溝部
２１，２２，２３　圧着部
２４　区画領域
２５　圧着部
２６　区画領域
２８　圧着部
２９　区画領域
【図１】
2004008592.tif 000005
【図２】
2004008592.tif 000006
【図３】
2004008592.tif 000007
【図４】
2004008592.tif 000008
【図５】
2004008592.tif 000009
【図６】
2004008592.tif 000010
【図７】
2004008592.tif 000011